(57)【要約】【課題】エスカレーターや自動歩道の利用者へ、安全に、情報シートを交換容易に、低コストで、汚すことなく手摺に表示し提供すること。【解決手段】手摺の表面と両側曲面中心部までは透明シートで覆い、手摺の片側曲面中心部は手摺に接着し、他の片側曲面中心部では、手摺裏面までのシートを間隔を開けて、矩形状や梯形状に切除して残し延設した接続テープの先端にファスナーや留め具を付ける。或は手摺曲面中心相当部で切断した透明シートに間隔を開けて、接続した手摺裏面までの接続テープの先端の手摺側に面ファスナーや留め具を付けるか、面ファスナー自体を接続テープとして接続する。対応する手摺裏面には、固設した受けの面ファスナーや留め受け具で接続テープを着脱する。又エスカレーターや自動歩道の終り部分の手摺をほぼ隙間無く不透明のシートや軟質又は硬質の成形カバーで覆い、手摺保持固定壁や床面に固定する。【選択図】      図１
2004292159.tif 000002
【特許請求の範囲】
【請求項１】
エスカレーターや自動歩道の手摺表面を長手方向に、透明の軟質又は半硬質のプラスチックシートで、片端は手摺曲面のほぼ中心部に固着して覆い、その反対端は手摺曲面のほぼ中心部で、長さ方向に間隔を開けて矩形状か梯形状に切除して、手摺裏面に掛けて延設し残したテープ形状の先端か或いは手摺を覆った透明シートを曲面のほぼ中心部で長さ方向に切断した所に、間隔を開けて接続した別の軟質か半硬質のテープの先端の手摺裏面側に、雄又は雌の面ファスナーや留め具を固定するか、雄又は雌の面ファスナーをテープとして、手摺に向けて接続して、対応する手摺の裏面に固設した雌又は雄の面ファスナー或は留め受け具に剥離自由に留めて、手摺の表面と透明プラスチックシートとの間に、情報シートを交換自由に挿入し手摺に表示するエスカレーター或は自動歩道の装置。
【請求項２】
エスカレーター或は自動歩道から人が降りる手前から、降りるまで又はその先までの手摺を、覆うように成形した不透明の硬質板或は軟質又は半硬質のプラスチックシートでカバーして、エスカレーター又は自動歩道の手摺保持固定壁や床に固設した、請求項１項に記載の情報シートを交換自由に挿入し手摺に表示するエスカレーター或は自動歩道の装置。
【発明の詳細な説明】
【０００１】
【発明の属する技術分野】
本発明は、エスカレーターや自動歩道の手摺上に、情報シートを表示する装置に関する。
【０００２】
【従来の技術】
従来のエスカレーターや自動歩道の手摺上に、情報を表示する装置は、手摺に直接、情報を印刷する。或は手摺上に固着したプラスチックシートの上面や裏面に情報を印刷する方法を採用している。
【０００３】
又は、特願平８−２６０１０７のごとく、透明のプラスチックシートでエスカレーターや自動歩道の手摺の表面と裏面を覆い、手摺の両側裏面に接続、又取り外し自由に留めて、その中に情報シートを挿入する装置やそれに米国特許登録第６，０４７，８０９号のごとくプラスチックシートを手摺裏面に巻き込む部分に切り欠きを設ける方法であった。
【０００４】
【発明が解決しようとする課題】
従来の技術の内、手摺や手摺上に固着する透明のプラスチックシートに情報類を直接印刷する方法は、情報を交換する場合に、従来の情報を消去したり、新情報を印刷したプラスチックシートに交換するランニングコストの高い方法であった。
【０００５】
透明プラスチックシートを手摺に巻き付け、手摺の両側裏面で接続、取り外し自由に留める装置は、手摺が階段の裏側に回動する部分でシートに皺が入る欠点があった。又その皺が出ないようにシート両端の随所にカーブ状の切り欠きを入れる方法でも、手摺の回転部で、その皺を完全に取り去ることが出来ず、シートが手摺から剥離したり、エスカレーター利用者の手に当たったり又皺のある見栄えの悪い装置であった。
【０００６】
なお、エスカレーターや自動歩道の利用者が、移動している階段から降りる際に、手摺に表示してある情報に見とれて足元の注意がおろそかになり、よろけたり、転んだりすることがあった。
【０００７】
【課題を解決するための手段】
透明な軟質又は半硬質のプラスチックシートで、エスカレーターや自動歩道の手摺上面を覆い、その片側は手摺曲面のほぼ中心部に接着剤又は強力な粘着剤で接着する。反対側の透明シートは、手摺曲面のほぼ中心部で、手摺裏面までの接続テープが残るように間隔を開けて矩形状又は梯形状に切除する。その透明プラスチックシートの接続テープの先端に雄又は雌の面ファスナーや留め具を取り付ける。
【０００８】
或いは手摺接着と反対側の手摺曲面中心部で長手方向に切断した透明シートに、間隔を開けて、手摺の裏面までの長さの軟質や半硬質のプラスチックシート或は柔軟な織布などの接続テープを取り付ける。接続テープの先端には、手摺面側に雄又は雌の面ファスナーや留め具を取り付ける。又は雄又は雌の面ファスナーそのものを接続テープとして、接続面を手摺側に向けて接着する。接続テープに対応する手摺の裏面部には、雌又は雄の面ファスナー或は留め受け具を固設して、接続テープと剥離自由に接続や嵌着する。
【０００９】
エスカレーターや自動歩道から降りる時、表示情報に見とれて足元の不安全となることを除くために、エスカレーターを降りる手前約１．５ｍ乃至１ｍから降りるまでやその先の手摺部分を不透明のカバーで覆う。この安全カバーは、硬質の金属板やプラスチック板を手摺の回転部分やさらに床面までも覆うようにプレス成形や真空成形或いは部分的に接合してエスカレーターや自動歩道の不動の手摺保持固定壁などの構造基体や床面に固設する。安全カバーと手摺との間は、少なくとも指先が入らないように成形する。さらに硬質板の縁は、曲面にしておくことを必要とする。
【００１０】
安全カバーを不透明な軟質又は半硬質のプラスチックシートにして覆う場合は、手摺の回転部分の側面を切り欠きを設けて、手摺形状に沿うように接着したり、真空成形で手摺の側面を含め、その回転部分を隙間無く覆うようにして、手摺保持固定壁などの構造基体に固設する。又安全カバーが最初に手摺と接する部分は、手摺の透明シートとの間隙に指先が入らないように、又指先がシートの端で傷付かないように、手摺側内方に折り曲げて、手摺保持固定壁などの構造基体に固設する。
【００１１】
【発明の実施の形態】
本発明の具体例をエスカレーターについて、図によって説明する。自動歩道の対応も全く同じである。
【００１２】
図２は、エスカレーター下部の斜視図であり、図３は、エスカレーターの全体側面図であり、そのＡ−Ａ断面が図１である。
図１の手摺１は、手摺保持固定壁３の上部に繋がる手摺保持装置２を包むようにして移動する。その手摺１の上面から両端の手摺曲面中心部４までは、軟質や半硬質のプラスチック透明シート５で完全に覆う。透明プラスチックは、一般にポリプロピレンや塩化ビニール或いはＥＶＡ樹脂を使う。その厚みの設定は、自由であるが、０．２ｍｍから０．４ｍｍの厚みが加工しやすい。手摺曲面中心部４は、正確に設定するものではないが、一般には、手摺その物を製作するときに、出来る曲面の中心線が目安になる。
【００１３】
透明シート５は、手摺表面の情報シートを表示する部分、一般には手摺の全長を覆う。その幅方向の両端の内片方は、手摺曲面中心部４を透明シートの手摺接着部６として、接着剤や強力な粘着剤で接着する。透明シート５の固着側の手摺接着部６は、一般には、エスカレーター双方の手摺共、それぞれ内側を選ぶ方が、エスカレーターの利用者の手に触れて透明シート５が手摺から剥離するのを防止出来る。
【００１４】
反対側の透明シート５の端は、間隔を開けて、接続テープ８を形成するように矩形状に切除する。その透明シートの展開図が図６である。又は図示していないが、梯形状に切除して、接続テープ８を形成させる。長手方向の切断部は、透明シート５が手摺１を覆ったときに、手摺曲面中心部４に位置するようにする。そこに、矩形状切除部１６や梯形状切除によって接続テープ８が延設される。接続テープ８は、手摺１に巻き付けたときに、手摺の裏面端に位置する長さとする。その先端の手摺１側には、雄又は雌の面ファスナー９や留めホックなどの留め具を固着する。接続テープ８の透明シート５からの延設部は、曲面形状カット部１７を形成させると接続テープ８が透明シート５から千切れることを防止する。
【００１５】
接続テープ８の代わりに、展開図７に示すごとく、透明シート５が手摺１を覆ったときの曲面中心部に相当する所で切断して、その位置を接続テープ接着部７として、間隔を開けて手摺１の裏面端までの長さの別な接続テープ８１を接着する方法がある。接続テープ８１の大きさは、接続テープ８とほぼ同じでよい。接続テープ８１は、雄又は雌の面ファスナーそのものでもよいし、柔軟な織布や透明シート５と同材質のシートの先端に、雄又は雌の面ファスナー９や留めホックを手摺１側に取り付けたものでもよい。又透明シート５には接続テープ接続部７で接着剤や物理的な方法で取り付ける。なお、テープ８１の透明シート５との接続基部の幅を広く設定すると接続テープ８１の接着強度は増す。
【００１６】
接続テープ８又は８１の幅は、特定することはないが、その強度保持と手摺１の回転部で皺になることを避けることが必要で、一般に１ｃｍから５ｃｍを適当とする。接続テープ８の間隔即ち矩形状切除部１６又は梯形状切除部の長さ或いは接続テープ８１間の間隔は、透明シート５が手摺１から浮き上がるのを防止する間隔であることが必要条件であり、一般に２０ｃｍから３０ｃｍを適当とする。
【００１７】
接続テープ８又は８１の先端の面ファスナー９やホックなどの留め具に対応する手摺１の裏面先端部には、雌又は雄の面ファスナー１０や留め受け具を固着して接続テープ８や８１が手摺１に接続し又剥離出来るようにする。図１の実施例は、透明シート５の接続テープ接続部７に接着した接続テープ８１の先に固着した面ファスナー９と手摺１の裏面に固着した面ファスナー１０を利用している。
【００１８】
情報シート１１を手摺１の表面に表示するときは、手摺１の裏面先端に取り付けた面ファスナー１０などの留め具から透明シート５に取り付けてある接続テープ８又は８１を剥離し、情報シート１１を手摺１表面に置き、透明シート５が情報シート１１を手摺１表面に押さえるように、再び接続テープ８又は８１先端に付けてある面ファスナー９や留め具を手摺１裏面の面ファスナー１０や留め受け具に留める。なお、情報シート１１の裏面に弱い粘着剤を点付けして手摺１の表面におくと、情報シート１１のずれ動きが防止出来る。以上の手順で、情報シート１１の交換が容易に可能となる。
【００１９】
図２は、エスカレーター下部の斜視図であり、透明シート５の下に情報シート１１が置かれていることを示している。又手摺１の曲面を覆った透明シート５から出ている接続テープ８が手摺１の裏面に取り付けてある状態を示している。又透明シート５は、手摺曲面中心部４から手摺１の上面を覆っていることを示している。
【００２０】
図３は、透明シート５で覆ったエスカレーター全体の側面を示している。符号１５は、階上、階下の床である。又手摺１を覆っている透明シート５の手摺曲面中心部４に位置する接続テープ接着部７に固接してある接続テープ８１を示している。
【００２１】
図４は、上昇エスカレーター最終部分の側面図である。エスカレーターを利用する人が手摺１表面の情報シートに見とれてエスカレーターを降りるときに、足元が床で躓くのを防止するために、エスカレーター階段の最終部の手前約１．５ｍから１ｍの手摺１を不透明な安全カバー１２で、エスカレーター階段の終り部分やその先までの手摺１を透明シート５に接して覆い、手摺保持固定壁３に接着剤や留め具１３で固設する。手摺保持固定壁３の下部が硝子の場合は、図１の手摺保持装置２に続く部分の手摺固定壁３に留める。
【００２２】
不透明の安全カバー１２は、手摺１の形状に沿うように成形する。安全カバー１２が熱可塑性樹脂材であれば、軟質材でも硬質材でも真空成形法で成形出来る。
熱溶着の出来る樹脂であれば、手摺１や手摺保持固定壁３の形状に沿って分割して、それを熱溶着してもよい。又金属板をプレス成形や溶接してカバーとしてもよい。安全カバーの厚みに限定はないが、軟質の場合は、０．３ｍｍから０．５ｍｍを適当とし、硬質の場合は、１ｍｍから５ｍｍを適当とする。
【００２３】
透明シート５と安全カバー１２との間には、指先が入らないように設定する。安全カバー１２が軟質材の場合には、手摺１の初めを覆う部分で図４の折り返し線１４のごとく内側に折り返して透明シート５に接しておくと、シートの縁も曲面となり、透明シート５との隙間も無くなり、安全性は高まる。又安全カバー１２が硬質材の場合の、手摺１に接する初めの縁は、曲面を形成するように削っておくか成形しておくとそれに触れる指先を傷付けることはない。
【００２４】
図５のごとく、金属板や硬質樹脂シートを成形して安全カバー１２を図４における手摺１の回転大部分を覆って成形し、硬質安全カバー１８として手摺保持固定壁３や床面１５に固設して、図示していないが、中で手摺１を覆っている透明シート５を常時拭い清掃する用具装置或いはオゾン発生装置や紫外線照射装置などを設置して、透明シート５の清掃や殺菌機能を内臓させることも出来る。
【００２５】
【発明の効果】
本発明は、以上説明したような形態で実施され、以下に記載されるような効果を奏する。
【００２６】
エスカレーターや自動歩道の不特定多数の利用者に、利用し続ける間は確実に、宣伝、案内、その他各種のＰＲ情報を提供することが出来る。
【００２７】
手摺に表示する情報シートを、容易に又早く交換して表示出来る。
【００２８】
本情報表示装置は、軟質や半硬質のプラスチックシートによる手摺の安全カバー装置であれば、誰にでも設置出来る。
【００２９】
本情報表示装置の材料費、加工費の設備費は安く又ランニングコストは必要としない。
【００３０】
手摺の安全カバーの中に、手摺の清掃装置や殺菌装置を設置すれば、人手による手摺の清掃や殺菌作業が省力化出来る。
【００３１】
エスカレーターや自動歩道を利用する人が手摺表面に表示してある情報に見とれて降りる際に、足元がよろけたり、躓くことを防止出来て、安全である。
【図面の簡単な説明】
【図１】図３のＡ−Ａ断面図である。
【図２】エスカレーター下部の斜視図である。
【図３】エスカレーターの全体側面図である。
【図４】上昇エスカレーターの最終部分側面図である。
【図５】エスカレーターの最終部分の手摺を覆って手摺固定壁や床に留めた硬質成形板による安全カバーの側面図である。
【図６】片側を矩形状に切除し、接続テープを延設した透明シートの展開図である。
【図７】片側に接続テープを接続した透明シートの展開図である。
【符号の説明】
１        手摺                        ２        手摺保持装置
３        手摺保持固定壁              ４        手摺曲面中心部
５        透明シート                  ６        手摺接着部
７        接続テープ接着部            ８、８１  接続テープ
９、１０  面ファスナー              １１        情報シート
１２        安全カバー                １３        留め具
１４        折り返し線                １５        床面
１６        矩形状切除部              １７        曲面形状カット部
１８        硬質安全カバー
【図１】
2004292159.tif 000003
【図２】
2004292159.tif 000004
【図３】
2004292159.tif 000005
【図４】
2004292159.tif 000006
【図５】
2004292159.tif 000007
【図６】
2004292159.tif 000008
【図７】
2004292159.tif 000009